(57)【要約】【課題】金属製品の大きさに依存することなく、簡素な構成で安価に金属製品に錆が発生することを抑制可能な金属製品の防錆方法及び防錆装置を提供すること。【解決手段】本発明に係る金属製品の防錆方法は、梱包材を用いて冷延コイルＣの防錆箇所を梱包するステップと、梱包材と防錆箇所との間の空間内に除湿空気を供給し、空間内を陽圧に保つステップと、を含むことを特徴とする。これにより、冷延コイルＣの大きさに依存することなく、簡素な構成で安価に冷延コイルＣに錆が発生することを抑制できる。なお、空間内に除湿空気を供給する前に除湿空気を加熱することが望ましい。また、防錆箇所Ｃは冷延コイルの幅方向端部を含むことが望ましい。【選択図】図１
2017145450.tif 000002
【特許請求の範囲】
【請求項１】
梱包材を用いて金属製品の防錆箇所を梱包するステップと、
前記梱包材と前記防錆箇所との間の空間内に除湿空気を供給し、該空間内を陽圧に保つステップと、
を含むことを特徴とする金属製品の防錆方法。
【請求項２】
前記空間内に前記除湿空気を供給する前に該除湿空気を加熱するステップを含むことを特徴とする請求項１に記載の金属製品の防錆方法。
【請求項３】
前記金属製品は冷延コイルであり、前記防錆箇所は冷延コイルの幅方向端部を含むことを特徴とする請求項１又は２に記載の金属製品の防錆方法。
【請求項４】
金属製品の防錆箇所を梱包する梱包材と、
前記梱包材と前記防錆箇所との間の空間内に除湿空気を供給し、該空間内を陽圧に保つ除湿空気供給手段と、
を備えることを特徴とする金属製品の防錆装置。
【請求項５】
前記空間内に前記除湿空気を供給する前に該除湿空気を加熱する加熱手段を備えることを特徴とする請求項４に記載の金属製品の防錆装置。
【請求項６】
前記金属製品は冷延コイルであり、前記防錆箇所は冷延コイルの幅方向端部を含むことを特徴とする請求項４又は５に記載の金属製品の防錆装置。
【発明の詳細な説明】
【技術分野】
【０００１】
本発明は、冷延コイル等の金属製品の防錆方法及び防錆装置に関する。
【背景技術】
【０００２】
金属製品の製造過程では、次工程作業を開始するまでの滞留期間（作業待ち時間）が長期化した場合、金属製品に錆が発生することがある。このため、金属製品の製造過程では、滞留期間を極力短くすることが望ましい。ところが、滞留期間は次工程の作業開始タイミングによって左右されるために、しばしば滞留期間が長期化し、金属製品に錆が発生する場合がある。このような背景から、製造過程において金属製品に錆が発生することを抑制する技術が提案されている。
【０００３】
具体的には、特許文献１には、金属製品を保管する倉庫内に強制的な空気の流れを発生させるファンと、ファンが発生させた空気の流れ中に気化性防錆剤を含有させる装置と、を用いた、倉庫内での金属製品の保管方法が記載されている。また、特許文献２には、金属コイルの置台に加熱手段と送風手段とを配置し、加熱手段と送風手段とによって金属コイルに結露が発生することを抑制することにより、金属コイルに錆が発生することを抑制する方法が記載されている。
【先行技術文献】
【特許文献】
【０００４】
【特許文献１】特開２０００−３２８２７４号公報
【特許文献２】実開平７−１５６４４号公報
【発明の概要】
【発明が解決しようとする課題】
【０００５】
しかしながら、特許文献１記載の方法によれば、金属製品を無梱包のままの状態で長期間にわたり錆を発生させることなく保管できるが、倉庫内全体に気化性防錆剤を行き渡らせる必要があるために装置が大型になる。また、製品数が少ない小ロットの金属製品を扱う場合には、コスト的に不利になる。一方、特許文献２記載の方法では、加熱手段及び送風手段の配置位置が固定されているために、金属コイルの大きさが変化した場合、結露を抑制することによって錆の発生を抑制することが困難になる。
【０００６】
本発明は、上記課題に鑑みてなされたものであって、その目的は、金属製品の大きさに依存することなく、簡素な構成で安価に金属製品に錆が発生することを抑制可能な金属製品の防錆方法及び防錆装置を提供することにある。
【課題を解決するための手段】
【０００７】
本発明に係る金属製品の防錆方法は、梱包材を用いて金属製品の防錆箇所を梱包するステップと、前記梱包材と前記防錆箇所との間の空間内に除湿空気を供給し、該空間内を陽圧に保つステップと、を含むことを特徴とする。
【０００８】
本発明に係る金属製品の防錆方法は、上記発明において、前記空間内に前記除湿空気を供給する前に該除湿空気を加熱するステップを含むことを特徴とする。
【０００９】
本発明に係る金属製品の防錆方法は、上記発明において、前記金属製品は冷延コイルであり、前記防錆箇所は冷延コイルの幅方向端部を含むことを特徴とする。
【００１０】
本発明に係る金属製品の防錆装置は、金属製品の防錆箇所を梱包する梱包材と、前記梱包材と前記防錆箇所との間の空間内に除湿空気を供給し、該空間内を陽圧に保つ除湿空気供給手段と、を備えることを特徴とする。
【００１１】
本発明に係る金属製品の防錆装置は、上記発明において、前記空間内に前記除湿空気を供給する前に該除湿空気を加熱する加熱手段を備えることを特徴とする。
【００１２】
本発明に係る金属製品の防錆装置は、上記発明において、前記金属製品は冷延コイルであり、前記防錆箇所は冷延コイルの幅方向端部を含むことを特徴とする。
【発明の効果】
【００１３】
本発明に係る金属製品の防錆方法及び防錆装置によれば、金属製品の大きさに依存することなく、簡素な構成で安価に金属製品に錆が発生することを抑制できる。
【図面の簡単な説明】
【００１４】
【図１】図１は、本発明の一実施形態である金属製品の防錆装置の構成を示す模式図である。
【図２】図２は、図１に示す冷延コイルの構成を示す模式図である。
【発明を実施するための形態】
【００１５】
以下、図１，図２を参照して、本発明の一実施形態である金属製品の防錆装置の構成及び動作について説明する。図１は、本発明の一実施形態である金属製品の防錆装置の構成を示す模式図である。図２は、図１に示す冷延コイルＣの構成を示す模式図である。
【００１６】
図１に示すように、本発明の一実施形態である金属製品の防錆装置１は、複数の冷延コイルＣに錆が発生することを抑制するものである。なお、本実施形態では、金属製品として冷延コイルＣを例示したが、本発明はめっき用鋼板や鋼帯等の冷延コイルＣ以外の金属製品に対しても適用できる。
【００１７】
冷延コイルＣでは、幅方向両端部付近に錆が発生しやすい。このため、本実施形態では、図２に示すように、冷延コイルＣの幅方向両端部は気化防錆効果を有する防錆紙２で梱包されており、防錆紙２は養生テープ３によって冷延コイルＣに貼り付けられている。なお、本実施形態では、冷延コイルＣの幅方向両端部は、防錆紙２により梱包されていることとしたが、ビニールキャップ等の防錆紙以外の梱包材を用いて梱包してもよい。また、冷延コイルＣの幅方向両端部を梱包する際、冷延コイルＣと防錆紙２との間の空間内に気化防錆剤を導入してもよい。
【００１８】
図１に戻る。本発明の一実施形態である金属製品の防錆装置１は、コンプレッサ１１と、除湿器１２と、供給ホース１３と、バルブ群１４と、を備えている。
【００１９】
コンプレッサ１１は、外気を取り込み、取り込んだ外気を０．４〜０．８ＭＰａ程度の圧力まで加圧して除湿器１２に供給する。
【００２０】
除湿器１２は、冷凍式ドライヤー等の除湿器によって構成され、排出される外気の露点温度が−３℃以下となる除湿能力を有している。除湿器１２は、コンプレッサ１１から供給された外気を除湿し、除湿された外気（以下、除湿空気と表記）を供給ホース１３に導入する。なお、除湿器１２は、外気の加熱機構を有することが望ましい。
【００２１】
供給ホース１３は、各冷延コイルＣの防錆紙２（図２参照）によって梱包されている空間内に連通しており、この空間内に除湿器１２から供給された０．１２〜０．３０ＭＰａ程度の圧力（防錆紙２が破損しない程度の圧力）の除湿空気を供給する。
【００２２】
バルブ群１４は、冷延コイルＣの防錆紙２（図２参照）によって梱包されている空間内に供給される除湿空気の流量を冷延コイルＣ毎に制御する。
【００２３】
一般に、錆は、金属製品の表面温度が周囲環境の露点温度以下になった時に金属製品の表面に発生した水滴によって発生する。このため、錆の発生を抑制するためには、金属製品の表面温度が周囲環境の露点温度以下にならないようにする必要がある。そして、湿度が高い場合には露点温度が低くなることから、低湿度環境を維持することで金属製品の表面温度が露点温度以下になりにくくなる。
【００２４】
そこで、本発明の一実施形態である金属製品の防錆装置１では、除湿器１２が、防錆に用いる外気を除湿して露点温度を下げ、必要に応じて外気を昇温することによって金属コイル２の温度を露点温度以上に保持する。また、図２に示したように防錆紙２によって冷延コイルＣを梱包し、防錆紙２によって梱包された空間内に除湿された外気を供給することによって、空間内を周囲環境よりも陽圧に保ち、周囲環境からの空気を遮断して空間内を除湿された外気で満たす。これにより、冷延コイルＣの大きさに依存することなく、簡素な構成で安価に冷延コイルＣに錆が発生することを抑制できる。
【実施例】
【００２５】
本実施例では、本発明例による冷延コイルの防錆効果を検証した。比較例１として、冷延コイルを梱包せずに放置した場合の錆の発生状況、比較例２として、冷延コイルを紙で梱包しただけで放置した場合の錆の発生状況、比較例３として、冷延コイルを紙で梱包すると共に梱包された空間内に気化性防錆剤を導入した場合の錆の発生状況を検証した。検証結果を以下の表１に示す。
【００２６】
【表１】
2017145450.tif 000003
【００２７】
表１に示すように、比較例１〜３では、１ヶ月又は２ヶ月経過後に錆が発生したのに対して、本発明例では、３ヶ月が経過しても錆が発生しなかった。これにより、本発明例によれば、冷延コイルに錆が発生することを抑制できることが確認された。
【符号の説明】
【００２８】
１  金属製品の防錆装置
２  防錆紙
３  養生テープ
１１  コンプレッサ
１２  除湿器
１３  供給ホース
１４  バルブ群
Ｃ  冷延コイル
【図１】
2017145450.tif 000004
【図２】
2017145450.tif 000005